(57)【特許請求の範囲】
【請求項１】
ＰＷＭ波形の調光信号を発生する調光信号発生回路と、
発光素子の点灯を制御する発光素子駆動回路と、
前記ＰＷＭ波形の調光信号のデューティ比を直流電圧に変換するＰＷＭ／ＤＣ変換回路と、
前記調光信号発生回路と前記発光素子駆動回路との間を接続し、前記調光信号発生回路が発生したＰＷＭ波形に基づくＰＷＭ信号である第１調光信号、及び、前記直流電圧のうち何れか一方が調光度合いに応じて選択的に伝送される伝送路と、を備え、
前記発光素子駆動回路は、  
前記ＰＷＭ／ＤＣ変換回路により変換され、前記伝送路を介して伝送された前記直流電圧に基づき、デューティ比が前記調光信号発生回路が発生したＰＷＭ波形と同じで、より周期の短いＰＷＭ波形の第２調光信号を生成するＤＣ／ＰＷＭ変換回路を備え、
予め設定された所定の調光度合いより低輝度では、前記伝送路を介して伝送される前記第１調光信号に基づいたＰＷＭ制御により調光制御を行い、
前記所定の調光度合いより高輝度では、前記第２調光信号に基づいたＰＷＭ制御により調光制御を行うことを特徴とする照明装置。
【請求項２】
ＰＷＭ波形の調光信号を発生する調光信号発生回路と、
発光素子の点灯を制御する発光素子駆動回路と、
前記ＰＷＭ波形の調光信号のデューティ比を直流電圧に変換するＰＷＭ／ＤＣ変換回路と、
前記調光信号発生回路と前記発光素子駆動回路との間を接続し、前記調光信号発生回路が発生したＰＷＭ波形に基づく第１調光信号が伝送される第１の伝送路と、
前記第１の伝送路と並列に、前記調光信号発生回路と前記発光素子駆動回路との間を接続し、前記直流電圧が前記発光素子駆動回路に伝送される第２の伝送路と、を備え、
前記ＰＷＭ／ＤＣ変換回路が、前記第２の伝送路上に設けられ、
前記発光素子駆動回路は、
前記ＰＷＭ／ＤＣ変換回路により変換され、前記第２の伝送路を介して伝送された前記直流電圧に基づき、デューティ比が前記調光信号発生回路が発生したＰＷＭ波形と同じで、より周期の短いＰＷＭ波形の第２調光信号を生成するＤＣ／ＰＷＭ変換回路を備え、
予め設定された所定の調光度合いより低輝度では、前記第１の伝送路を介して伝送される前記第１調光信号に基づいたＰＷＭ制御により調光制御を行い、
前記所定の調光度合いより高輝度では、前記第２調光信号に基づいたＰＷＭ制御により調光制御を行うことを特徴とする照明装置。
【請求項３】
前記ＤＣ／ＰＷＭ変換回路は、
前記直流電圧と、前記調光信号発生回路が発生したＰＷＭ波形の周期より周期の短い三角波との電圧比較により、前記調光信号発生回路が発生したＰＷＭ波形のデューティ比を再現したＰＷＭ波形を生成することを特徴とする請求項１又は２に記載の照明装置。
【請求項４】
前記ＰＷＭ／ＤＣ変換回路が、ローパスフィルタにより構成されることを特徴とする請求項１〜３の何れか一項に記載の照明装置。
【発明の詳細な説明】
【技術分野】
【０００１】
本発明は、照明装置に関し、特に、発光ダイオード（ＬＥＤ）のような調光可能な発光素子を備えた照明装置に関する。
【背景技術】
【０００２】
ＬＥＤは輝度調整が簡単であり、この特徴を利用して、調光機能付きのＬＥＤ照明が家庭用の照明として使用され始めている。
【０００３】
ＬＥＤの調光方法として、代表的なものにＤＣ調光とＰＷＭ調光を挙げることができる。
【０００４】
ＤＣ調光では、例えば図４に示すＬＥＤ照明装置のように、ＬＥＤ駆動回路３２が、トランジスタ１４のソースと接続するノードａの電圧を、端子ＤＣ＿ＩＮに入力される直流の調光信号ＤＣ１の電圧と等しくなる様にオペアンプ２０及びトランジスタ１４で制御することで、当該調光信号ＤＣの電圧と電流制御抵抗１５から定まる電流で発光部１３内のＬＥＤの点灯を制御する。即ち、ＬＥＤに流れる電流量をＤＣ調光信号の電圧値で調整してＬＥＤ１３の発光輝度を調節するものである。
【０００５】
これに対し、ＰＷＭ調光では、例えば図５に示すＬＥＤ照明装置のように、ＬＥＤ駆動回路３４が、トランジスタ１４のオン時においてトランジスタ１４のソースと接続するノードａの電圧を一定とすることにより、点灯時にＬＥＤに流れる電流が一定となるように制御する。調光はＬＥＤ駆動回路３４の端子ＰＷＭ＿ＩＮに入力されるＰＷＭ波形ＰＷＭ１に従って、トランジスタをオンオフするようにオペアンプ２０を制御することにより、ＬＥＤの点灯・非点灯の制御を行い、ＬＥＤの点滅間隔により発光輝度を調節するものである。
【０００６】
ＰＷＭ調光では高輝度で点灯を行う場合、ＰＷＭ波形の周期を短くし、オンオフによるちらつきが認識できないようにする必要がある。一方で、周期の短いＰＷＭ信号を使用すると、電磁ノイズの発生が問題となる。
【０００７】
下記の特許文献１では、ＰＷＭ波形を略台形形状にして、波形の立ち上がり立ち下がりをなまらせることにより、スイッチングトランジスタと負荷とを接続する配線から発生する電磁ノイズを低減している。
【先行技術文献】
【特許文献】
【０００８】
【特許文献１】特開平９−２０４２３０号公報
【発明の概要】
【発明が解決しようとする課題】
【０００９】
しかしながら、波形をなまらせるだけでは、電磁ノイズの発生は完全に防止できない。特に、複数の照明器具を同時に調光する場合、調光器と複数の照明器具の間を配線で結び、調光信号を各照明器具に伝送する。ここで、調光信号がＰＷＭ波形であると、調光信号が交流信号であることにより、当該配線から発生する電磁ノイズが他の電子機器に影響を与える虞がある。
【００１０】
本発明は、上記の状況に鑑み、伝送路で発生する電磁ノイズを低減し、ＥＭＩ（Electro-Magnetic Interference）の発生が抑止された照明装置を提供することを目的とする。
【課題を解決するための手段】
【００１１】
上記目的を達成するための本発明に係る照明装置は、
ＰＷＭ波形の調光信号を発生する調光信号発生回路と、発光素子の点灯を制御する発光素子駆動回路と、前記調光信号発生回路と前記発光素子駆動回路との間を接続する、第１調光信号が伝送される伝送路と、前記ＰＷＭ波形の調光信号のデューティ比を直流電圧値に変換するＰＷＭ／ＤＣ変換回路とを備え、
前記発光素子駆動回路は、
前記ＰＷＭ／ＤＣ変換回路により変換され、前記伝送路を介して伝送された前記直流電圧値に基づき、デューティ比が前記調光信号発生回路が発生したＰＷＭ波形と同じで、より周期の短いＰＷＭ波形の第２調光信号を生成するＤＣ／ＰＷＭ変換回路を備え、
予め設定された所定の調光度合いより低輝度では、前記調光信号発生回路が発生したＰＷＭ波形の前記第１調光信号に基づいたＰＷＭ制御により調光制御を行い、
前記所定の調光度合いより高輝度では、前記第２調光信号に基づいたＰＷＭ制御により調光制御を行うことを特徴とする。
【００１２】
上記特徴の照明装置は、更に、前記伝送路が、第１の伝送路と第２の伝送路とで構成され、
前記調光信号発生回路が発生した前記ＰＷＭ波形が、前記第１の伝送路を介して前記発光素子駆動回路に伝送され、前記ＰＷＭ／ＤＣ変換回路により変換された前記直流電圧が、前記第２の伝送路を介して前記発光素子駆動回路に伝送されることが好ましい。
【００１３】
上記特徴の照明装置に依れば、調光信号発生回路が、ちらつきが認識されない程度の比較的周期の長いＰＷＭ波形を発生し、低輝度での点灯では、当該ＰＷＭ波形の調光信号を発光素子駆動回路に伝送してＰＷＭ調光を行う。一方、高輝度での点灯では、当該ＰＷＭ波形の調光信号を一旦直流電圧信号に変換したうえで発光素子駆動回路に伝送し、発光素子駆動回路内部で、当該直流電圧信号をより周期の短いＰＷＭ波形（第２調光信号）に変換してＰＷＭ調光を行う。
【００１４】
このような構成とすることで、調光信号発生回路と発光素子駆動回路間の伝送路には、周期の短いＰＷＭ信号が伝送されないため、電磁ノイズの発生を低減することができる。
【００１５】
上記特徴の照明装置は、更に、前記ＤＣ／ＰＷＭ変換回路は、前記直流電圧と、前記調光信号発生回路が発生したＰＷＭ波形の周期より周期の短い三角波との電圧比較により、前記調光信号発生回路が発生したＰＷＭ波形のデューティ比を再現したＰＷＭ波形を生成することが好ましい。
【００１６】
上記特徴の照明装置は、更に、前記ＰＷＭ／ＤＣ変換回路が、ローパスフィルタにより構成されることが好ましい。
【発明の効果】
【００１７】
本発明に依れば、調光信号発生回路と発光素子駆動回路間の伝送路には、周期の短いＰＷＭ信号が伝送されないため、伝送路における電磁ノイズの発生が低減され、ＥＭＩの発生が抑止された照明装置を実現できる。
【００１８】
また、発光素子駆動回路内部で、調光信号発生回路が発生したＰＷＭ波形のデューティ比を再現するので、低輝度から高輝度まで、スムーズな調光が可能となる。
【００１９】
また、発光素子駆動回路はＰＷＭ調光用の制御回路のみでよく、回路構成を簡単にすることができる。
【図面の簡単な説明】
【００２０】
【図１】本発明の一実施形態に係る照明装置を示す回路構成図。
【図２】高輝度時と低輝度時における、調光制御のための各信号の時間変化を示すタイミングチャート。
【図３】ＤＣ／ＰＷＭ変換回路の動作を説明するためのタイミングチャート。
【図４】従来構成の照明装置の一例を示す回路構成図。
【図５】従来構成の照明装置の一例を示す回路構成図。
【発明を実施するための形態】
【００２１】
〈第１実施形態〉
本発明の一実施形態に係る照明装置（ＬＥＤ照明装置）１の構成例を図１に示す。図１の回路構成図に示されるように、照明装置１は、調光信号発生回路１１、ＰＷＭ／ＤＣ変換回路１２、発光素子（ＬＥＤ）を備えた発光部１３、トランジスタ１４、電流制御抵抗１５、及び、発光素子の点灯を制御する発光素子駆動回路（ＬＥＤ駆動回路）１６を備えてなる。尚、図１において、発光部１３は複数（５個）のＬＥＤを直列に接続してなるが、これに限られるものではない。発光部１３は、任意の数のＬＥＤが直列に接続されていてもよいし、並列に接続されていてもよい。調光信号発生回路１１とＬＥＤ駆動回路１６とは、第１の伝送路１７、及び、第２の伝送路１８の２本の伝送線を介して接続されている。
【００２２】
調光信号発生回路１１は、調光度合いを示すＰＷＭ波形の調光信号ＰＷＭ１を発生する。更に、調光信号発生回路１１は、当該調光信号ＰＷＭ１と、調光度合いが予め設定された所定の調光度合いより低輝度側であるか高輝度側であるかを示す選択信号ＳＥＬに基づき、２種類の調光信号ＣＨＯ１とＣＨＯ２を、夫々、第１の伝送路１７と第２の伝送路１８を介して出力する。ここで、選択信号ＳＥＬは、調光度合いが低輝度側であるとき低レベル（“Ｌ”）、高輝度側であるとき高レベル（“Ｈ”）となる信号とする。
【００２３】
図２に各信号ＰＷＭ１、ＳＥＬ、ＣＨＯ１、ＣＨＯ２、ＣＨＯ２’のタイミングチャート図を示す。選択信号ＳＥＬが低レベルである期間Ｔ１（低輝度側で照明を行う場合）では、調光信号発生回路１１内の論理回路２１の働きにより、調光信号ＰＷＭ１が、調光信号ＣＨＯ１として、第１の伝送路１７に伝送される。このとき、第２の伝送線路１８に伝送される調光信号は、調光信号発生回路１１内の論理回路２２の働きにより高レベルに固定され、調光信号ＣＨＯ２として伝送される。
【００２４】
一方、選択信号ＳＥＬが高レベルの期間Ｔ２（高輝度側で照明を行う場合）では、第１の伝送線路１７に伝送される調光信号は、調光信号発生回路１１内の論理回路２１の働きにより高レベルに固定され、調光信号ＣＨＯ１として伝送される。このとき、調光信号発生回路１１内の論理回路２２の働きにより、調光信号ＰＷＭ１が、調光信号ＣＨＯ２として、第２の伝送路１８に伝送される。
【００２５】
調光信号ＣＨＯ２は、ＰＷＭ／ＤＣ変換回路１２により、調光信号ＰＷＭ１のデューティ比に応じた電圧値を持つ直流の調光信号ＣＨＯ２’に変換され、当該調光信号ＣＨＯ２’が、第２の伝送路１８を介して、ＬＥＤ駆動回路１６に伝送される。尚、ＰＷＭ／ＤＣ変換回路１２は、例えば、図１に示すように、ローパスフィルタで構成することができる。
【００２６】
調光信号ＣＨＯ１は、ＬＥＤ駆動回路１６の端子ＰＷＭ＿ＩＮに入力され、直流変換された調光信号ＣＨＯ２’は、ＬＥＤ駆動回路１６の端子ＶＯＰ＿ＳＥＮＳＥ２に入力される。
【００２７】
ＬＥＤ駆動回路１６は、ＤＣ／ＰＷＭ変換回路１９、トランジスタ１４をオンオフ制御するための制御信号を出力するオペアンプ２０、及び、当該制御信号のオンオフを切り替えるための信号をオペアンプ２０に出力する論理回路（ＡＮＤ回路）２３を、その内部に備えてなる。オペアンプ２０の出力が、出力端子ＶＯＵＴに接続されている。
【００２８】
ＬＥＤ駆動回路１６は、図５に示されるＬＥＤ駆動回路３４と同様、ＬＥＤ点灯時にＬＥＤに流れる電流を定電流制御し、トランジスタ１４をオンオフする間隔を制御することで、ＰＷＭ調光によりＬＥＤの点灯・非点灯を制御する。ＬＥＤ駆動回路１６の出力端子ＶＯＵＴがトランジスタ１４のゲートと接続し、ＬＥＤ駆動回路１６の端子ＶＯＰ＿ＳＥＮＳＥがオペアンプ２０の入力端子対の一方とトランジスタ１４のソースとを接続している。
【００２９】
尚、オペアンプ２０の入力端子対の他方に接続される基準電圧源２６は、トランジスタ１４のソースの電位を、当該基準電圧源２６の電位に固定する役割を有している。
【００３０】
ＤＣ／ＰＷＭ変換回路１９は、コンパレータ２４と三角波を発生する発振器２５で構成され、端子ＶＯＰ＿ＳＥＮＳＥ２に入力された直流の調光信号ＣＨＯ２’を、調光信号発生回路１１が発生した調光信号ＰＷＭ１とデューティ比が同じで、且つ周期の短いＰＷＭ波形の調光信号ＰＷＭ２（第２調光信号）に変換して、ＡＮＤ回路２３の入力端子の一方端へ入力する。
【００３１】
以下に、図３のタイミングチャートを参照し、ＤＣ／ＰＷＭ変換回路１９の動作を説明する。調光信号発生回路１１が生成した調光信号ＰＷＭ１は、図３（ａ）に示すように、波高値Ｍで周期２ＮのＰＷＭ波形でありデューティ比は１：４であるとする。この場合、当該調光信号ＰＷＭ１は、図３（ｂ）に示されるように、ＰＷＭ／ＤＣ変換回路１２により、波高値が４／５ＭのＤＣの調光信号ＣＨＯ２’に変換され、コンパレータ２４の入力端子の一方に入力される。
【００３２】
コンパレータ２４の入力端子の他方には、発振器２５からの三角波が入力される。図３（ｃ）に発振器２５が発生する三角波の波形を示す。尚、ここでは、図面による説明の都合上、三角波の周期をＮとした。即ち、図面による説明の都合上、発振器２５が発生する三角波の周期を、調光信号発生回路１１が発生する調光信号ＰＷＭ１の周期の１／２とした。実際には、調光信号ＰＷＭ１の周期は、周波数に換算して１ｋＨｚ程度であるのに対し、発振器２５が発生する三角波の周波数は、好ましくは３００ｋＨｚ程度であり、周期において１／３００程度の差がある。
【００３３】
コンパレータ２４により、調光信号ＣＨＯ２’の電圧値と、三角波の電圧値が比較され、三角波の電圧値が調光信号ＣＨＯ２’の電圧値よりも低い場合コンパレータ２４の出力が高レベル（“Ｈ”）になり、逆に高い場合低レベル（“Ｌ”）になる。
【００３４】
この結果、コンパレータ２４の出力は、図３（ｄ）に示すように、周期がＮでデューティ比１：４のＰＷＭ波形になり、直流の調光信号ＣＨＯ２’から、元の調光信号ＰＷＭ１と同じデューティ比のＰＷＭ信号を再現する事ができる。
【００３５】
再び図１及び図２に戻って、図２の期間Ｔ１、即ち低輝度側で照明を行う場合、調光信号ＣＨＯ２’の電圧は常に高レベル（波高値Ｍ）であるので、ＤＣ／ＰＷＭ変換回路１９のコンパレータ２４の出力は常に高レベルであり、ＡＮＤ回路２３の出力は、調光信号ＣＨＯ１、即ち、調光信号発生回路１１が発生した調光信号ＰＷＭ１を再現したものとなる。この結果、調光信号ＰＷＭ１に基づいてＰＷＭ調光が行われる。調光信号ＰＷＭ１が高レベルの期間、オペアンプ２０はトランジスタ１４をオン状態に制御し発光部１３のＬＥＤを点灯させる。一方、調光信号ＰＷＭ１が低レベルの期間、オペアンプ２０はトランジスタ１４を非導通状態に制御しＬＥＤを非点灯とする。
【００３６】
図２の期間Ｔ２、即ち高輝度側で照明を行う場合、調光信号ＣＨＯ１が常に高レベルであるので、ＡＮＤ回路２３の出力は、ＤＣ／ＰＷＭ変換回路１９のコンパレータ２４の出力電圧値を反映したものとなる。コンパレータ２４の入力端子の一方端には、調光信号ＰＷＭ１が直流電圧値に変換された調光信号ＣＨＯ２’が入力されるため、上述の通り、三角波と比較されることで、デューティ比がＰＷＭ１と同じで、より周期の短い調光信号ＰＷＭ２に変換され、当該調光信号ＰＷＭ２がコンパレータ２４の出力となる。したがって、調光信号ＰＷＭ２に基づいてＰＷＭ調光が行われる。調光信号ＰＷＭ２が高レベルの期間、オペアンプ２０はトランジスタ１４をオン状態に制御し発光部１３のＬＥＤを点灯させる。一方、調光信号ＰＷＭ２が低レベルの期間、オペアンプ２０はトランジスタ１４を非導通状態に制御しＬＥＤを非点灯とする。
【００３７】
このように、本実施形態の照明装置１では、調光信号発生回路１１が生成した調光信号ＰＷＭ１を、ＰＷＭ／ＤＣ変換回路１２が、高輝度時は直流電圧に変換したうえでＬＥＤ駆動回路１６に伝送し、ＤＣ／ＰＷＭ変換回路１９がＰＷＭ周期を変換し、デューティ比が同じでより周期の短い調光信号ＰＷＭ２に復元するため、低輝度時と高輝度時の切り替えを簡単に行うことができる。このため、低輝度時には比較的周期の長いＰＷＭ信号で調光制御を行うことができ、高輝度時には発振器２５の周期に従う周期の短いＰＷＭ信号で調光制御を行うことができ、ちらつきのないＬＥＤの発光を行うことができる。
【００３８】
更に、高輝度時に周期の短いＰＷＭ波形を伝送する必要がないため、伝送路でのＥＭＩ発生を防止できる。
【００３９】
〈別実施形態〉
以下に、別実施形態について説明する。
【００４０】
〈１〉上記実施形態では、調光信号発生回路１１が、２つの論理回路２１と２２を用いて、第１及び第２の伝送路１７、１８への調光信号の伝送を制御する場合を例示したが、本発明はこれに限られるものではなく、種々の回路構成が考えられる。
【００４１】
〈２〉特に、上記実施形態では、調光信号発生回路１１が生成した比較的ＰＷＭ周期の長い調光信号ＰＷＭ１を、低輝度時には、調光信号ＣＨＯ１として、そのまま第１の伝送路１７を介して伝送し、高輝度時には、直流の調光信号ＣＨＯ２’に変換したうえで、第２の伝送路１８を介して伝送し、ＬＥＤ駆動回路１６内で周期の短いＰＷＭ波形の調光信号ＰＷＭ２に復元する構成となっている。このとき、他方の伝送路（低輝度時における第２の伝送路または高輝度時における第１の伝送路を指す）には、常に高レベルの信号が伝送されるため、論理回路２３により論理積をとることで、調光信号ＰＷＭ１またはＰＷＭ２の何れかを取り出すことができる。
【００４２】
しかしながら、本発明はこのような構成に限られるものではない。例えば、低輝度時における比較的ＰＷＭ周期の長い調光信号ＰＷＭ１、及び、高輝度時における直流の調光信号ＣＨＯ２’の何れか一方を、調光度合いが高輝度であるか低輝度であるかを示す選択信号ＳＥＬに応じて選択し、第１の伝送路１７を介して伝送する構成も可能である。この場合、第２の伝送路１８には選択信号ＳＥＬを伝送することとし、ＬＥＤ駆動回路１６は、選択信号ＳＥＬに応じて、オペアンプ２０に出力すべきＰＷＭ信号を、低輝度の場合には調光信号ＰＷＭ１、高輝度の場合にはＣＨＯ２’をＰＷＭ変換した調光信号ＰＷＭ２の間で切り替える構成とすればよい。
【００４３】
更に、選択信号ＳＥＬを第１の伝送路１７を介して伝送後に、当該選択信号ＳＥＬに応じた調光信号ＰＷＭ１またはＣＨＯ２’の何れかを第１の伝送路１７を介して伝送するようにすれば、伝送路は１本で足りる。
【００４４】
〈３〉上記実施形態では、低輝度時における調光信号ＰＷＭ１は、波高値が高レベルのパルス信号であり、高輝度時における調光信号ＣＨＯ２’は、中間レベルの直流信号であるので、両者は判別回路を設けることにより、選択信号ＳＥＬに依らなくとも判別可能である。つまり、当該判別回路により、調光度合いが高輝度であるか低輝度であるかを判別できるので、ＬＥＤ駆動回路１６が、オペアンプ２０に出力すべきＰＷＭ信号を、低輝度の場合には調光信号ＰＷＭ１、高輝度の場合にはＣＨＯ２’をＰＷＭ変換した調光信号ＰＷＭ２の間で切り替えることができる。従って、別途判別回路を設けることで、選択信号ＳＥＬは必要なく、伝送路は１本で足りる。
【００４５】
〈４〉上記実施形態では、選択信号ＳＥＬは、調光度合いが低輝度側であるとき低レベル（“Ｌ”）、高輝度側であるとき高レベル（“Ｈ”）となる信号したが、逆に、低輝度側で高レベル、高輝度側で低レベルとなる信号としても構わない。論理回路２１、２２の構成を変更すればよいだけである。
【００４６】
〈５〉上記実施形態の照明装置では、発光素子がＬＥＤである場合について詳細に説明したが、本発明はこれに限られるものではなく、ＰＷＭ制御により輝度を制御できる発光素子であれば、本発明のように伝送路間に高周波数のＰＷＭ信号が伝送されないようにすることで、ＥＭＩ低減の効果が得られる。例えば、発光素子として有機ＥＬ素子を用いる照明装置に対しても本発明を適用することができる。
【産業上の利用可能性】
【００４７】
本発明は、照明装置に利用可能であり、特に、ＬＥＤを発光素子として用い、調光器と複数の照明器具との間が配線長の長い伝送路で接続される場合に、ＥＭＩ対策に有用である。
【符号の説明】
【００４８】
１：      本発明に係る照明装置
１１：    調光信号発生回路
１２：    ＰＷＭ／ＤＣ変換回路
１３：    発光部
１４：    トランジスタ
１５：    電流制御抵抗
１６：    ＬＥＤ駆動回路
１７：    第１の伝送路
１８：    第２の伝送路
１９：    ＤＣ／ＰＷＭ変換回路
２０：    オペアンプ
２１〜２３：  論理回路
２４：    コンパレータ
２５：    発振器
２６：    基準電圧源
３１、３３：  従来構成の調光信号発生回路
３２、３４：  従来構成のＬＥＤ駆動回路
ＣＨＯ１、ＣＨＯ２、ＣＨＯ２’：  調光信号
ＰＷＭ１、ＰＷＭ２：  ＰＷＭ波形の調光信号
ＳＥＬ：  選択信号
【図１】
0005756711.tif 000002
【図２】
0005756711.tif 000003
【図３】
0005756711.tif 000004
【図４】
0005756711.tif 000005
【図５】
0005756711.tif 000006